(57)【要約】【課題】或る楽曲の合成動画コンテンツを生成する合成動画コンテンツの生成システムにおいて、生成された新たな動画コンテンツにおける表示レイアウトの自由度を高め、合成動画コンテンツに対する興趣を高める。【解決手段】  ホスト装置１（サーバー）は、複数の歌唱動画コンテンツを記憶するコンテンツ記憶手段と、コンテンツ記憶手段に記憶された或る楽曲の歌唱動画コンテンツを複数選択するコンテンツ選択手段と、選択された歌唱動画コンテンツの数を、選択数情報として取得する選択数情報取得手段と、選択数情報を参照して合成動画コンテンツの表示レイアウト（Ａ〜Ｆ）を決定するレイアウト決定手段と、選択された複数の前記歌唱動画コンテンツの映像を、決定された表示レイアウトに従って合成し、或る楽曲の合成動画コンテンツを生成するコンテンツ生成手段を有している。【選択図】図７
2014109657.tif 000002
【特許請求の範囲】
【請求項１】
ユーザー端末と通信可能に接続されたサーバーを有し、前記サーバーに記憶された或る楽曲の歌唱動画コンテンツを、前記ユーザー端末からの指示に応じて複数選択し、選択された複数の前記歌唱動画コンテンツを合成することで、前記或る楽曲の合成動画コンテンツを生成する合成動画コンテンツの生成システムであって、
前記サーバーは、
複数の前記歌唱動画コンテンツを、楽曲に関連付けた状態で記憶するコンテンツ記憶手段と、
前記ユーザー端末からの指示に応じて、前記コンテンツ記憶手段に記憶された前記或る楽曲の歌唱動画コンテンツを複数選択するコンテンツ選択手段と、
前記選択された歌唱動画コンテンツの数を、選択数情報として取得する選択数情報取得手段と、
前記選択数情報を参照して前記合成動画コンテンツの表示レイアウトを決定するレイアウト決定手段と、
選択された複数の前記歌唱動画コンテンツの映像を、決定された表示レイアウトに従って合成し、前記或る楽曲の合成動画コンテンツを生成するコンテンツ生成手段を有することを特徴とする合成動画コンテンツの生成システム。
【請求項２】
前記レイアウト決定手段は、特定の歌唱動画コンテンツの表示面積が、他の歌唱動画コンテンツの表示面積の表示面積よりも大きくなるように、前記合成動画コンテンツの表示レイアウトを決定することを特徴とする請求項１に記載の合成動画コンテンツの生成システム。
【請求項３】
前記サーバーは、選択された前記動画コンテンツの数と前記表示レイアウトとの関係を規定するレイアウトテーブルを有し、
前記レイアウト決定手段は、前記レイアウトテーブルの内容を参照して前記表示レイアウトを決定することを特徴とする請求項１又は２に記載の合成動画コンテンツの生成システム。
【請求項４】
前記コンテンツ記憶手段は、複数の前記歌唱音声コンテンツをも楽曲に関連付けた状態で記憶するものであり、
前記コンテンツ選択手段は、前記ユーザー端末からの指示に応じて、前記コンテンツ記憶手段に記憶された前記或る楽曲の歌唱音声コンテンツをも選択するものであり、
前記コンテンツ生成手段は、前記歌唱音声コンテンツが選択された場合、選択された複数の前記歌唱動画コンテンツに加え、選択された前記歌唱音声コンテンツを合成することを特徴とする請求項１から３の何れか１項に記載の合成動画コンテンツの生成システム。
【発明の詳細な説明】
【技術分野】
【０００１】
本発明は、サーバーに記憶された或る楽曲の歌唱動画コンテンツを合成し、新たな動画コンテンツを生成する合成動画コンテンツの生成システムに関する。
【背景技術】
【０００２】
いわゆる通信カラオケシステムでは、従来から、別途生成された歌唱映像データ及び歌唱音声データを利用したコラボレーション歌唱に関する技術が提案されている。
【０００３】
例えば、サーバーに記憶された歌唱音声データを、ネットワークを通じてカラオケ装置にダウンロードし、カラオケ演奏と歌唱音声データの再生とを同期して行うことで、ダウンロードされた歌唱音声データとの合唱を行う技術が知られている（例えば特許文献１を参照）。また、個別に録音された音声ファイルを複数記憶させ、これらの音声ファイルを選択して所定のエフェクトをかけることで合成音声データを生成し、生成した合成音声データを配信する技術も知られている（例えば特許文献２を参照）。さらに、複数の動画コンテンツデータを組み合わせて新たなコンテンツデータ（混成動画データ）を生成し、視聴可能に公開する技術も知られている（例えば特許文献３を参照）。
【先行技術文献】
【特許文献】
【０００４】
【特許文献１】特許第４１８８０１３号公報
【特許文献２】特開２００８−５１８９６号公報
【特許文献３】特開２０１１−５９６１９号公報
【発明の概要】
【発明が解決しようとする課題】
【０００５】
合成動画コンテンツで表示される映像の表示レイアウトは、その合成動画コンテンツの興趣を左右する重要な要素といえる。特許文献３のシステムでは、２つの動画コンテンツに対応する各映像を横並びに表示させているが、３つ以上の動画コンテンツに基づく表示レイアウトについては開示されていない。
【０００６】
３つ以上の動画コンテンツのレイアウトに関し、表示領域の全体を均等に分割して各動画コンテンツ用の個別表示領域とすることが考えられる。ここで、合成動画コンテンツの各歌唱者は、自らの映像がどのように表示されるかについて強い関心を持っている。このため、均等に分割したのでは、表示レイアウトに自由度がなく、かつ、合成対象コンテンツの数が増える程に個別表示領域の面積が小さくなってしまうことから、興趣が損なわれてしまう可能性がある。
【０００７】
本発明は、このような事情に鑑みてなされたものであり、その目的は、表示レイアウトの自由度を高め、合成動画コンテンツに対する興趣を高めることにある。
【課題を解決するための手段】
【０００８】
前記目的を達成するため、本発明は、ユーザー端末と通信可能に接続されたサーバーを有し、前記サーバーに記憶された或る楽曲の歌唱動画コンテンツを、前記ユーザー端末からの指示に応じて複数選択し、選択された複数の前記歌唱動画コンテンツを合成することで、前記或る楽曲の合成動画コンテンツを生成する合成動画コンテンツの生成システムであって、前記サーバーは、複数の前記歌唱動画コンテンツを、楽曲に関連付けた状態で記憶するコンテンツ記憶手段と、前記ユーザー端末からの指示に応じて、前記コンテンツ記憶手段に記憶された前記或る楽曲の歌唱動画コンテンツを複数選択するコンテンツ選択手段と、前記選択された歌唱動画コンテンツの数を、選択数情報として取得する選択数情報取得手段と、前記選択数情報を参照して前記合成動画コンテンツの表示レイアウトを決定するレイアウト決定手段と、選択された複数の前記歌唱動画コンテンツの映像を、決定された表示レイアウトに従って合成し、前記或る楽曲の合成動画コンテンツを生成するコンテンツ生成手段を有することを特徴とする。
【０００９】
本発明によれば、選択数情報に基づいて合成動画コンテンツの表示レイアウトが決定されるので、選択された歌唱動画コンテンツの数に適した表示レイアウトの合成動画コンテンツを生成することができる。これにより、表示レイアウトの自由度を高めることができ、ひいては合成動画コンテンツに対する興趣を高めることができる。
【００１０】
前述の合成動画コンテンツの生成システムにおいて、前記レイアウト決定手段は、特定の歌唱動画コンテンツの表示面積が、他の歌唱動画コンテンツの表示面積の表示面積よりも大きくなるように、前記合成動画コンテンツの表示レイアウトを決定することが好ましい。この構成では、好みの歌唱動画コンテンツを他の歌唱動画コンテンツよりも大きく表示できるので、合成動画コンテンツに対する興趣をより高めることができる。
【００１１】
前述の合成動画コンテンツの生成システムにおいて、前記サーバーは、選択された前記動画コンテンツの数と前記表示レイアウトとの関係を規定するレイアウトテーブルを有し、前記レイアウト決定手段は、前記レイアウトテーブルの内容を参照して前記表示レイアウトを決定することが好ましい。この構成では、レイアウトテーブルに基づき、表示レイアウトを容易に決定することができる。
【００１２】
前述の合成動画コンテンツの生成システムにおいて、前記コンテンツ記憶手段は、複数の前記歌唱音声コンテンツをも楽曲に関連付けた状態で記憶するものであり、前記コンテンツ選択手段は、前記ユーザー端末からの指示に応じて、前記コンテンツ記憶手段に記憶された前記或る楽曲の歌唱音声コンテンツをも選択するものであり、前記コンテンツ生成手段は、前記歌唱音声コンテンツが選択された場合、選択された複数の前記歌唱動画コンテンツに加え、選択された前記歌唱音声コンテンツを合成することが好ましい。この構成では、映像を含まない歌唱音声コンテンツも合成することができ、表示対象となる映像の数を増やさなくても、多数の歌唱音声が合成された合成動画コンテンツを生成できる。
【発明の効果】
【００１３】
本発明によれば、生成された新たな動画コンテンツにおける表示レイアウトの自由度を高め、合成動画コンテンツに対する興趣を高めることができる。
【図面の簡単な説明】
【００１４】
【図１】カラオケシステムの概略構成を説明する概念図である。
【図２】ホスト装置（サーバー）の構成を説明するブロック図である。
【図３】レイアウトテーブルの内容を説明する概念図である。
【図４】カラオケ装置の構成を説明するブロック図である。
【図５】カラオケ本体の構成を説明するブロック図である。
【図６】ユーザー端末の構成を説明するブロック図である。
【図７】映像の表示レイアウトを説明する概念図である。
【図８】レイアウトＡの説明図である。
【図９】ホスト装置、カラオケ装置及びユーザー端末でなされる処理を説明するための概念図である。
【図１０】ユーザー端末における表示例を説明する図であり、（ａ）は或る楽曲の歌唱動画コンテンツ群の一覧画面、（ｂ）選択された歌唱動画コンテンツの再生画面、（ｃ）お気に入り登録された歌唱動画コンテンツ群の一覧画面をそれぞれ示す。
【図１１】変形例（レイアウトＤ´）の説明図である。
【発明を実施するための形態】
【００１５】
以下、本発明の実施形態について説明する。図１に示すカラオケシステムは、ホスト装置１（サーバー）とカラオケ装置２とユーザー端末３とを有している。そして、これらが通信回線４を介して通信可能に接続されている。ホスト装置１は、歌唱動画コンテンツの基となる歌唱動画データを多数記憶しており、ユーザー端末３からの指示で選択された或る楽曲の歌唱動画コンテンツ（歌唱動画データ）を複数合成し、その楽曲の合成動画コンテンツを生成する。以下、カラオケシステムを構成する各装置１〜３について説明する。
【００１６】
まず、ホスト装置１について説明する。ホスト装置１は、サーバーとして機能し、顧客情報や歌唱動画データといった各種情報を蓄積して管理する。図２に示すように、ホスト装置１は、ホスト側制御部１１と、ホスト側通信部１２と、ホスト側記憶部１３とを有している。ホスト側制御部１１は、ホスト装置１における制御の中心となる部分であり、ＣＰＵ１１ａやメモリ１１ｂを有している。ＣＰＵ１１ａは、メモリ１１ｂに記憶された動作プログラムに従って各種の制御を実行する。メモリ１１ｂは、ＣＰＵ１１ａに実行されるプログラムを記憶したり、プログラムの実行時に各種情報を一時的に記憶したりする記憶素子である。ホスト側通信部１２は、ホスト装置１を通信回線４に接続するためのインタフェースを提供する。
【００１７】
ホスト側記憶部１３は、大容量の情報を記憶する記憶装置であり、ハードディスクドライブ等によって構成されている。このホスト側記憶部１３は、歌唱動画コンテンツの基となる歌唱動画データ（歌唱音声データと歌唱映像データの組，録画用動画データ，閲覧用動画データ）を、カラオケ楽曲毎の識別情報である楽曲ＩＤに関連付けた状態で記憶していることから、歌唱動画コンテンツを楽曲に関連付けて記憶するコンテンツ記憶手段に相当する。
【００１８】
ホスト側記憶部１３の一部領域は、顧客情報記憶領域、歌唱音声データ記憶領域、歌唱映像データ記憶領域、録画用動画データ記憶領域、閲覧用動画データ記憶領域、レイアウトテーブル記憶領域として用いられている。
【００１９】
顧客情報記憶領域には、歌唱者毎の識別情報である利用者ＩＤに対応付けられた状態で、性別、年齢、生年月日、住所等の個人情報や、利用店舗、利用日時、歌唱履歴等の履歴データが記憶されている。
【００２０】
歌唱音声データ記憶領域には、カラオケ装置２からアップロードされた歌唱音声データが記憶され、歌唱映像データ記憶領域には、カラオケ装置２からアップロードされた歌唱映像データが記憶されている。これらの歌唱音声データや歌唱映像データは、歌唱動画コンテンツの基となる歌唱動画データであり、楽曲ＩＤ、利用者ＩＤ、歌唱履歴、コラボレーションされる他の歌唱動画コンテンツの選択情報と対応付けられた状態で記憶されている。本実施形態において、歌唱音声データはＭＰ３形式のデータが用いられ、歌唱映像データはＭＰＥＧ２形式のデータが用いられている。
【００２１】
録画用動画データ記憶領域には、他の歌唱動画とコラボレーションをする際に、カラオケ装置２へダウンロードされて再生される録画用動画データが記憶される。すなわち、録画用動画データは、コラボレーション時にカラオケ装置２で再生される合成動画コンテンツの基となる歌唱動画データである。本実施形態では、映像と音声とが別データであり、録画用に作成されたＭＰＥＧ２形式の歌唱映像データ（録画用映像データ，コラボレーション歌唱時の背景映像データ）とＭＰ３形式の歌唱音声データ（録画用音声データ）とが記憶される。なお、これらの録画用映像データ及び録画用音声データは、ユーザー端末３からの指示に応じ、ホスト側制御部１１にて生成される。
【００２２】
閲覧用動画データ記憶領域には、ユーザー端末３に閲覧させるための閲覧用動画データが記憶される。この閲覧用動画データは、ユーザー端末３で再生される歌唱動画コンテンツの基となるデータである。この歌唱動画コンテンツには、未コラボレーションの単独歌唱で生成された単独動画コンテンツと、コラボレーション歌唱で生成された合成動画コンテンツとが含まれる。本実施形態の閲覧用動画データは、ＷＭＶ形式やＭＰ４形式の動画データであり、ユーザー端末３からの指示に応じてホスト側制御部１１で生成される。
【００２３】
レイアウトテーブル記憶領域には、録画用動画データの表示レイアウト、及び、閲覧用動画データの表示レイアウトを規定するレイアウトテーブルが記憶される。図３（ａ），（ｂ）に示すように、レイアウトテーブルは、合成対象である歌唱動画コンテンツの選択数と合成後の映像レイアウトの関係を規定する。ここで、映像レイアウトとは、選択された歌唱動画コンテンツの映像表示位置や大きさである。本実施形態では、レイアウトＡ〜Ｆ、及び、全画面からなる７種類のレイアウトが定義されている。また、コラボレーション時（録画用動画データ）と閲覧時（閲覧用動画データ）のそれぞれに対応するテーブルが用意されている。なお、各レイアウトについては、後で詳しく説明する。
【００２４】
次に、カラオケ装置２について説明する。このカラオケ装置２はカラオケ演奏や歌唱採点を行う装置であり、図１に示すように、例えばカラオケ店ＫＢの各カラオケルームＲＭに設置されている。そして、図４に示すように、カラオケ装置２は、カラオケ本体２１と、スピーカ２２と、モニタ２３と、マイク２４と、ビデオカメラ２５と、リモコン装置２６とを有している。
【００２５】
カラオケ本体２１は、選択されたカラオケ楽曲の演奏制御、歌詞及び背景映像の表示制御、マイク２４を通じて入力された歌唱音声信号の処理といった、カラオケに関する各種の制御を行う部分である。このカラオケ本体２１については、後で詳しく説明する。
【００２６】
スピーカ２２は、カラオケ本体２１に接続されており、カラオケ本体２１からの放音信号に基づいて放音する。モニタ２３もカラオケ本体２１に接続されており、カラオケ本体２１からの映像信号に基づいて映像を画面に表示する。マイク２４もカラオケ本体２１に接続されており、歌唱者の音声をアナログの歌唱音声信号に変換してカラオケ本体２１に入力させる。ビデオカメラ２５もカラオケ本体２１に接続されており、歌唱中の映像を歌唱映像信号に変換してカラオケ本体２１に入力させる。
【００２７】
リモコン装置２６は、カラオケ本体２１との間で情報を送受信するための双方向通信可能な短距離無線通信部を備えており、カラオケ楽曲の予約時などに操作される。カラオケ楽曲の予約時において、リモコン装置２６からは、演奏対象の楽曲を識別するための楽曲ＩＤを含んだ操作信号が送信される。登録された利用者がリモコン装置２６を通じてログインした場合、その利用者の利用者ＩＤがホスト装置１に送信される。そして、リモコン装置２６には、お気に入り登録された歌唱動画コンテンツや歌唱履歴等の各種情報が表示される。
【００２８】
また、本実施形態のリモコン装置２６は、ユーザー端末３としても機能する。この場合、リモコン装置２６は、近隣のアクセスポイント（図示せず）、及び、通信回線４を経由してホスト装置１に接続される。このため、利用者は、カラオケ店ＫＢに居ながらにして、マイページにアクセスできる。
【００２９】
次に、カラオケ本体２１について詳細に説明する。図５に示すように、カラオケ本体２１は、本体側制御部３１と、本体側通信部３２と、本体側記憶部３３と、音響処理部３４と、表示処理部３５と、映像入力部３６と、操作部３７とを有している。そして、これらの各部がバスを介して通信可能な状態に接続されている。
【００３０】
本体側制御部３１は、カラオケ本体２１における制御の中心となる部分であり、ＣＰＵ３１ａやメモリ３１ｂを有している。ＣＰＵ３１ａは、メモリ３１ｂに記憶された動作プログラムに従って各種の制御を実行する。例えば、操作部３７からの操作を受け付ける操作入力処理やシーケンサとして動作するシーケンサ処理を行う。メモリ３１ｂは、ＣＰＵ３１ａに実行されるプログラムを記憶したり、プログラムの実行時に各種情報を一時的に記憶したりする記憶素子である。このため、メモリ３１ｂには、各種のプログラムを記憶する記憶領域が設けられている。
【００３１】
本体側通信部３２は、カラオケ本体２１（カラオケ装置２）を通信回線４に接続するためのインタフェースを提供する。この本体側通信部３２は、本体側制御部３１によって動作が制御される。
【００３２】
本体側記憶部３３は、各種のデータを記憶する大容量の記憶装置であり、例えばハードディスクドライブによって構成されている。この本体側記憶部３３には、例えば、楽曲データ記憶領域、背景映像データ記憶領域、歌唱映像データ記憶領域、歌唱音声データ記憶領域、録画用動画データ記憶領域が設けられる。
【００３３】
楽曲データ記憶領域には、リモコン装置２６で選択されたカラオケ楽曲を演奏するための楽曲データが記憶され、背景映像データ記憶領域には、モニタ２３に背景映像を表示させるための背景映像データが記憶される。歌唱映像データ記憶領域には、ビデオカメラ２５で撮影された歌唱映像データが記憶され、歌唱音声データ記憶領域には、歌唱音声信号をデジタルデータ化した歌唱音声データが記憶される。録画用動画データ記憶領域には、他の歌唱動画コンテンツとのコラボレーション用に、ホスト装置１から送信された録画用動画データ（録画用映像データ，録画用音声データ）が記憶される。
【００３４】
音響処理部３４は、カラオケ楽曲に対する演奏の制御を行ったり、マイク２４を通じて入力された歌唱音声信号をデジタルの歌唱音声データに変換する等の制御を行ったりする部分である。この音響処理部３４では、伴奏データに応じて生成された楽音信号と歌唱音声データとが適当なバランスでミキシングされ、放音信号としてスピーカ２２へ出力される。また、音響処理部３４は、利用者がコラボレーションをする際、楽音信号や歌唱音声データに加え、ホスト装置１からの録画用音声データもミキシングする。これにより、利用者は、録画用音声データの再生音声と合唱が行える。
【００３５】
表示処理部３５は、カラオケ演奏時における背景映像の表示等の制御を行う。カラオケ演奏時において、表示処理部３５には背景映像データが入力されており、この背景映像データのデコードが行われる。そして、表示処理部３５は、デコードで生成された背景映像の映像信号に歌詞テロップを合成し、合成後の映像信号をモニタ２３に出力する。その結果、モニタ２３には、背景映像に歌詞テロップが重ねられた映像が表示される。
【００３６】
また、表示処理部３５は、利用者がコラボレーション歌唱をする際、背景映像データに代えて録画用映像データを用い、モニタ２３に録画用映像を表示させる。このとき、モニタ２３の所定位置（後述）には、ビデオカメラ２５で撮影された映像、すなわち歌唱映像データに基づく映像が上書き（スーパーインポーズ）される。従って、録画用映像データは、コラボレーション歌唱時における背景映像データに相当する。
【００３７】
映像入力部３６は、ビデオカメラ２５からの歌唱映像信号の取り込み処理を行う部分であり、いわゆるビデオカードで構成されている。この映像入力部３６は、例えば、ビデオカメラ２５と接続するための外部インタフェース、バスを通じて本体側制御部３１等と接続するための内部インタフェース、及び、フレームバッファとしてのビデオメモリを有している（何れも図示せず）。
【００３８】
操作部３７は、パネルスイッチやリモコン受信回路などからなっており、利用者によるパネルスイッチやリモコン装置２６の操作に応じた操作信号を本体側制御部３１に対して出力する。本体側制御部３１は、操作入力処理を行うことで操作信号を検出し、対応する処理を実行する。なお、パネルスイッチやリモコン装置２６は、操作を選択するための種々のキースイッチ（図示せず）を備えている。
【００３９】
そして、リモコン装置２６を通じた操作により、ログインした利用者のマイページから、お気に入り登録された歌唱動画コンテンツを呼び出すことができる。この呼び出し操作により、当該歌唱動画コンテンツに対応する録画用動画データがカラオケ装置２にダウンロードされ、録画用動画データ記憶領域に記憶される。あわせて、当該歌唱動画コンテンツに対応するカラオケ楽曲の楽曲ＩＤが本体側制御部３１のメモリ３１ｂに記憶され、演奏処理の待ち行列で管理される。
【００４０】
その後、当該カラオケ楽曲の順序がやってくると、カラオケ伴奏に同期して、録画用映像データに基づく映像にビデオカメラ２５で撮影された歌唱映像がスーパーインポーズされ、モニタ２３で表示される。また、録画用音声データに基づく歌唱音声がカラオケ伴奏と共にスピーカ２２から放音される。さらに、ビデオカメラ２５で撮影された歌唱映像が、歌唱映像データとして歌唱映像データ記憶領域に記憶され、マイク２４で集音された歌唱音声が、歌唱音声データとして歌唱音声データ記憶領域に記憶される。なお、記憶された歌唱映像データ及び歌唱音声データは、カラオケ楽曲の終了後の操作によりホスト装置１へアップロードされ、ホスト側記憶部１３（歌唱映像データ記憶領域，歌唱音声データ記憶領域）に記憶される。
【００４１】
次に、ユーザー端末３について説明する。ユーザー端末３は、カラオケの利用者によって操作される通信端末であり、図１に示すように、パーソナルコンピュータ３Ａ、タブレットコンピュータ３Ｂ、携帯電話機３Ｃなどが含まれる。また、前述したように、リモコン装置２６もユーザー端末３に含まれる。
【００４２】
図６に示すように、ユーザー端末３は、端末側制御部４１と、端末側通信部４２と、端末側記憶部４３と、表示部４４と、入力部４５とを有している。
【００４３】
端末側制御部４１は、ユーザー端末３における制御の中心となる部分であり、ＣＰＵ４１ａやメモリ４１ｂを有している。ＣＰＵ４１ａは、メモリ４１ｂに記憶された動作プログラムに従って各種の制御を実行する。メモリ４１ｂは、ＣＰＵ４１ａに実行されるプログラムを記憶したり、プログラムの実行時に各種情報を一時的に記憶したりする記憶素子である。端末側通信部４２は、ユーザー端末３を通信回線４に接続するためのインタフェースを提供する。端末側記憶部４３は、各種の情報を記憶する記憶装置であり、不揮発性メモリやハードディスクドライブ等によって構成される。
【００４４】
表示部４４及び入力部４５は、いずれもユーザインタフェースを提供する部分である。表示部４４は、各種メニューや操作用のラジオボタン等を表示する部分であり、例えば液晶表示装置やブラウン管で構成される。入力部４５は、利用者による操作を操作情報として取り込む部分であり、例えばキーボード、マウス、タッチパネルによって構成される。なお、可搬性が要求されるタブレットコンピュータ３Ｂやリモコン装置２６では、表示部４４と入力部４５とが一体化されたタッチパネル付きの液晶表示パネルが好適に用いられる。
【００４５】
次に、レイアウトテーブル、及び、映像の各種レイアウトについて説明する。図７（ａ），（ｂ）に示すように、レイアウトＡは、２つの動画コンテンツに対応する２つの映像を合成する際のレイアウトであり、レイアウトＢは３つの映像を合成する際のレイアウトである。そして、図７（ｃ）〜（ｆ）に示すように、レイアウトＣは４つの映像を、レイアウトＤは５つの映像を、レイアウトＥは６つの映像を、レイアウトＦは７つの映像を合成表示する際のレイアウトである。
【００４６】
図７（ａ）に示すように、レイアウトＡでは、カラオケ装置２のモニタ２３やユーザー端末３の表示部４４の表示範囲を左右方向の中心で２分割し、右側部分に歌唱映像Ａを表示させ、左側部分にビデオカメラ２５からのキャプチャー映像若しくは歌唱映像Ｂを表示させる。すなわち、カラオケ装置２でのコラボレーション時において、モニタ２３の右側部分にはコラボレーション対象のダウンロード映像が表示され、左側部分にはビデオカメラ２５からのキャプチャー映像（歌唱映像データに基づく映像）が表示される。一方、ユーザー端末３による合成動画コンテンツの閲覧時には、選択された２つの歌唱動画コンテンツのうち一方が歌唱映像Ａとして右側部分に表示され、他方が歌唱映像Ｂとして左側部分に表示される。
【００４７】
モニタ２３や表示部４４の画面をレイアウトＡのように２分割した場合、分割された画面の縦横比と各映像の縦横比とが相違する可能性が高い。そこで、図８に示すように、レイアウトテーブルでは、各映像の縦横比が維持されるように、映像の表示範囲が規定されている。すなわち、画面左下の座標（ｘａ，ｙａ）から画面左上の座標（ｘｃ，ｙｄ）の範囲が画面の全範囲と規定され、画面左下の座標（ｘａ，ｙａ）から画面上端中央の座標（ｘｂ，ｙｄ）の範囲が左側部分の表示範囲に規定され、画面下端中央の座標（ｘｂ，ｙａ）から画面左上の座標（ｘｃ，ｙｄ）の範囲が右側部分の表示範囲に規定されている。
【００４８】
そして、基となる映像の縦横比が維持され、左側部分や右側部分において面積が最大となり、かつ、画面の上下中央に映像が表示されるように、各映像の表示位置が規定されている。この例では、座標（ｘａ，ｙｂ）から座標（ｘｂ，ｙｃ）の範囲がキャプチャー映像若しくは歌唱映像Ｂの表示位置に規定され、座標（ｘｂ，ｙｂ）から座標（ｘｃ，ｙｃ）の範囲が歌唱映像Ａの表示位置に規定される。
【００４９】
図７（ｂ）に示すように、レイアウトＢでは、画面の左側半部がキャプチャー映像若しくは歌唱映像Ｃの表示範囲に規定され、右側の上側半部が歌唱映像Ａの表示範囲に規定され、右側の下側半部が歌唱映像Ｂの表示範囲に規定される。図７（ｃ）に示すように、レイアウトＣでは、画面の左側半部がキャプチャー映像若しくは歌唱映像Ｄの表示範囲に規定されるとともに、右側半部が上下方向に３等分されて歌唱映像Ａ〜Ｃの表示範囲に規定される。すなわち、右上部分が歌唱映像Ａの表示範囲に、右中部分が歌唱映像Ｂの表示範囲に、右下部分が歌唱映像Ｃの表示範囲に規定される。
【００５０】
図７（ｄ）〜（ｆ）に示すように、レイアウトＤ〜Ｆでは、キャプチャー映像等の表示範囲の大きさはレイアウトＡ等と同じであり、画面の全範囲における左右中央に配置される。そして、他の歌唱映像については、キャプチャー映像等の左右に振り分けられる。
【００５１】
すなわち、図７（ｄ）に示すレイアウトＤでは、キャプチャー映像若しくは歌唱映像Ｅの表示範囲が画面の左右中央に規定される。そして、歌唱映像Ａの表示範囲が画面の右上部分に、歌唱映像Ｂの表示範囲が画面の右下部分に、歌唱映像Ｃの表示範囲が画面の左上部分に、歌唱映像Ｄの表示範囲が画面の左下部分に、それぞれ規定される。また、図７（ｅ）に示すレイアウトＥでは、キャプチャー映像若しくは歌唱映像Ｆの表示範囲が画面の左右中央に、歌唱映像Ａ〜Ｃの表示範囲が画面の右側に、歌唱映像Ｄ，Ｅの表示範囲が画面の左側に、それぞれ規定される。同様に、図７（ｆ）に示すレイアウトＦでは、キャプチャー映像若しくは歌唱映像Ｆの表示範囲が画面の左右中央に、歌唱映像Ａ〜Ｃの表示範囲が画面の右側に、歌唱映像Ｄ〜Ｆの表示範囲が画面の左側に、それぞれ規定される。
【００５２】
なお、詳細は省略するが、これらのレイアウトＢ〜Ｆにおいても、レイアウトＡと同様に、各歌唱映像の表示面積が最大となるように表示位置が定められる。また、各歌唱映像が離れて表示されてしまうと、視聴者に対して間延びした印象を与える可能性があるため、これらのレイアウトＢ〜Ｆでは、各歌唱映像が互いに隣接するように表示位置が定められる。
【００５３】
次に、図９及び図１０等を参照し、上記構成を有するカラオケシステム（合成動画コンテンツの生成システム）の動作について説明する。ここで、図９における符号Ｓｎ（ｎ＝自然数）は、以下の処理におけるステップに相当する。これらのステップは、ホスト側制御部１１、本体側制御部３１、及び、端末側制御部４１がプログラムを実行することで実現される。また、以下の処理で述べる各手段は、各制御部１１，３１，４１がプログラムを実行することで構成される機能実現手段である。
【００５４】
このカラオケシステムでは、リモコン装置２６や操作部３７でカラオケ楽曲が選択され、かつ、動画を撮影する旨の指示が与えられると（Ｓ１）、カラオケ装置２は、歌唱映像データ取得手段や歌唱音声データ取得手段として機能する。
【００５５】
すなわち、カラオケ本体２１は、対象のカラオケ楽曲が演奏されている期間に亘り、ビデオカメラ２５からの映像信号をキャプチャーし、キャプチャー映像をモニタ２３に表示させるとともに、歌唱映像データとして本体側記憶部３３の歌唱映像データ記憶領域に記憶させる（Ｓ２）。例えばＭＰＥＧ２形式のデータとして記憶させる。また、カラオケ本体２１は、対象のカラオケ楽曲が演奏されている期間に亘り、マイク２４を通じて入力された歌唱音声信号を歌唱音声データとして取得し、ミキシング等を施してスピーカ２２に出力したり、本体側記憶部３３の歌唱音声データ記憶領域に記憶させたりする（Ｓ３）。前述したように、本実施形態では、記憶される歌唱音声データとしてＭＰ３形式のデータが用いられている。
【００５６】
そして、リモコン装置２６を通じてアップロードの指示が与えられると、カラオケ装置２は、アップロード手段として機能し、本体側記憶部３３に記憶された歌唱映像データ及び歌唱音声データを、利用者ＩＤ、楽曲ＩＤ、動画ＩＤ、及び、選択数情報等と対応付けた状態でホスト装置１にアップロードする（Ｓ４）。
【００５７】
ここで、動画ＩＤとは、歌唱動画データ（歌唱映像データ，歌唱音声データ）の識別情報である。選択数情報とは、生成される動画コンテンツでの表示レイアウトを決定するための情報であり、或る動画コンテンツを生成するために選択された他の動画コンテンツ（映像）の数を示す。この段階で生成される動画コンテンツは、他の動画コンテンツとはコラボレーションされないため、選択数情報として「１」が設定される。これらの利用者ＩＤ、楽曲ＩＤ、動画ＩＤ、及び、選択数情報といった各種情報は、例えば歌唱音声データにおけるＭＰ３タグに含ませて送信される。
【００５８】
ホスト装置１は、アップロードされた歌唱映像データ及び歌唱音声データを、ホスト側記憶部１３の歌唱映像データ記憶領域及び歌唱音声データ記憶領域に記憶させる（Ｓ５）。そして、ホスト装置１は、アップロードされた歌唱映像データ及び歌唱音声データの組から、閲覧用動画データを生成する（Ｓ６）。例えば、パーソナルコンピュータ３Ａによる閲覧用としてＷＭＶ形式の閲覧用動画データを生成し、タブレットコンピュータ３Ｂや携帯電話機３Ｃによる閲覧用としてＭＰ４形式の閲覧用動画データを生成する。
【００５９】
閲覧用動画データの生成に際し、ホスト装置１は、選択数情報取得手段として機能し、選択数情報を取得する。本実施形態では、ホスト側制御部１１が歌唱音声データのＭＰ３タグに含まれる選択数情報を取得する。選択数情報を取得したならば、ホスト装置１は、レイアウト決定手段として機能し、動画コンテンツの表示レイアウトを決定する。本実施形態では、ホスト側制御部１１がホスト側記憶部１３に記憶されたレイアウトテーブルを参照する。ここでは、選択数情報が「１」であることから、図３（ｂ）に示すように全画面の表示レイアウトに決定される。表示レイアウトが決定されたならば、ホスト装置１は、コンテンツ生成手段として機能し、アップロードされた歌唱動画データについての動画コンテンツを生成する。ここでは、ホスト側制御部１１が、アップロードされた歌唱動画データ（歌唱映像データ，歌唱音声データ）を読み出し、決定された表示レイアウトに基づいて閲覧用動画データを生成する。
【００６０】
生成された閲覧用動画データは、ホスト側記憶部１３の閲覧用動画データ記憶領域に記憶される。これに伴い、閲覧用動画データに基づく歌唱動画コンテンツが、その利用者のマイページで閲覧可能になる。ユーザー端末３による操作によって利用者がマイページにアクセスし、歌唱動画コンテンツの公開を指示すると、この歌唱動画コンテンツは他の利用者からも閲覧可能な状態になる（Ｓ７）。その際、コラボレーションによる利用を許可すると、その歌唱動画コンテンツは、コラボレーション可能な状態で公開される。
【００６１】
前述の各処理Ｓ１〜Ｓ７が繰り返し行われることで、閲覧用動画データ記憶領域には多数の閲覧用動画データが蓄積され、これらの閲覧用動画データに基づく歌唱動画コンテンツが複数の利用者から閲覧可能になる。
【００６２】
図１０（ａ）は、コラボレーション可能に公開された或る楽曲の歌唱動画コンテンツ群であり、ユーザー端末３における一覧表示画面の例である。この一覧表示画面では、それぞれの歌唱動画コンテンツの説明画像４４ａ（サムネイル画像及び説明文）が、表示部４４においてマトリクス状に配置されている。この一覧表示画面は、例えば、利用者がユーザー端末３を通じてログインし、コラボレーション可能な歌唱動画コンテンツの表示ページにて、楽曲名による検索を行うことで表示される（Ｓ８）。
【００６３】
ユーザー端末３を通じ、利用者が或る歌唱動画コンテンツの説明画像４４ａを選択すると、図１０（ｂ）に示すように、選択された歌唱動画コンテンツ４４ｂがユーザー端末３の表示部４４で再生される（Ｓ９）。そして、選択された歌唱動画コンテンツの再生画面で、この歌唱動画コンテンツのお気に入り登録を指示すると、例えば「お気に入り登録」のラジオボタン４４ｃを操作すると、その指示を示す指示情報がホスト装置１に送信される（Ｓ１０）。ホスト装置１では、受信した指示情報に従い、選択された歌唱動画コンテンツを、その利用者のお気に入り歌唱動画コンテンツとして登録する（Ｓ１１）。
【００６４】
図１０（ｃ）は、或る利用者によってお気に入り登録された、或る楽曲についての歌唱動画コンテンツ群の一覧画面である。この一覧画面では、歌唱動画コンテンツの説明画像４４ａの左上部にチェックボックス４４ｄが表示されている。このチェックボックス４４ｄは、お気に入り登録された動画コンテンツ群から、合成対象とする動画コンテンツを選択するためのものである。利用者は、ユーザー端末３を通じてチェックボックス４４ｄにチェックを入れ、コラボレーション対象となる歌唱動画コンテンツを選択する（Ｓ１２）。図示の例では、８つの歌唱動画コンテンツのうち、チェックボックス４４ｄの内部にチェックマークが描かれた４つの歌唱動画コンテンツが選択されている。
【００６５】
ここで、選択した歌唱動画コンテンツの組み合わせが適切か否かを確認する場合、利用者は、ユーザー端末３を通じて合成動画コンテンツの視聴を指示する（Ｓ１３）。例えば、図１０（ｃ）の一覧画面における「コラボ視聴」のラジオボタン４４ｅを操作する。これにより、その指示を示す指示情報がホスト装置１に送信される（Ｓ１４）。
【００６６】
指示情報の受信に伴いホスト装置１は、選択された歌唱動画コンテンツを合成し、閲覧用の合成動画コンテンツを生成する（Ｓ１５）。すなわち、選択された歌唱動画コンテンツに対応する歌唱動画データを読み出して合成し、合成動画コンテンツに対応する新たな閲覧用動画データを生成する。
【００６７】
この場合、ホスト装置１は、指示情報の受信に伴って選択数情報取得手段として機能し、選択された歌唱動画コンテンツの数を選択数情報として取得する。すなわち、チェックボックス４４ｄがチェックされた歌唱動画コンテンツの数（この例では「４」）を選択数情報として取得する。あわせて、ホスト装置１は、選択された歌唱動画コンテンツに対応する動画ＩＤ、及び、各歌唱動画コンテンツの選択順序を示す順序情報を取得する。順序情報の情報は、合成動画コンテンツの表示レイアウトを定めるための情報として用いられる。
【００６８】
次に、ホスト装置１は、コンテンツ選択手段として機能し、ホスト側記憶部１３（コンテンツ記憶手段）に記憶された或る楽曲の歌唱動画コンテンツを複数選択する。本実施形態では、ホスト側制御部１１が動画ＩＤに対応する歌唱動画データ（歌唱映像データ，歌唱音声データ）を複数選択する。また、ホスト装置１は、レイアウト決定手段としても機能し、合成動画コンテンツの表示レイアウトを決定する。本実施形態では、ホスト側制御部１１がホスト側記憶部１３に記憶されたレイアウトテーブルを参照する。ここでは、選択数情報が「４」であることから、合成対象の歌唱動画コンテンツが４つと判定され、図３（ｂ）及び図７（ｃ）に示すようにレイアウトＣと決定される。
【００６９】
表示レイアウトが決定されたならば、ホスト装置１は、合成コンテンツ生成手段として機能し、選択された複数の歌唱動画コンテンツの映像を、決定された表示レイアウトに従って合成し、合成動画コンテンツを生成する。
【００７０】
本実施形態では、先の処理で選択された複数の歌唱動画コンテンツの映像を、順序情報に基づいてレイアウトＣの各表示領域に割り振って合成する。すなわち、１番目に選択された歌唱動画コンテンツの映像を歌唱映像Ａの位置に、２番目に選択された歌唱動画コンテンツの映像を歌唱映像Ｂの位置に、３番目に選択された歌唱動画コンテンツの映像を歌唱映像Ｃの位置に、４番目に選択された歌唱動画コンテンツの映像を歌唱映像Ｄの位置に、それぞれ配置して合成する。また、先の処理で選択された複数の歌唱音声データを合成し、新たな歌唱音声データを生成する。そして、合成後の歌唱映像データと歌唱音声データが、合成動画コンテンツの基となる閲覧用動画データとされ、閲覧用動画データに記憶される。
【００７１】
閲覧用動画データが生成されたならば、ホスト装置１は、閲覧用動画データをユーザー端末３に配信する（Ｓ１６）。これにより、合成動画コンテンツがユーザー端末３で再生される（Ｓ１７）。このとき、ホスト装置１は、生成された閲覧用動画データのコピーをユーザー端末３に転送してもよいし、生成された閲覧用動画データに基づく映像信号及び音声信号をユーザー端末３にストリーミング配信してもよい。
【００７２】
視聴の結果、選択した歌唱動画コンテンツの組み合わせが適切であり、選択した歌唱動画コンテンツとのコラボレーションを希望する場合、利用者は、ユーザー端末３を通じて合成動画コンテンツによる録画を指示する（Ｓ１８）。例えば、図１０（ｃ）の一覧画面における「コラボ録画」のラジオボタン４４ｆを操作する。これにより、その指示を示す指示情報がホスト装置１に送信される（Ｓ１９）。
【００７３】
指示情報の受信に伴いホスト装置１は、選択された歌唱動画コンテンツを合成し、録画用の合成動画コンテンツを生成する（Ｓ２０）。すなわち、選択された歌唱動画コンテンツの基となる歌唱動画データを選択して合成し、録画用の合成動画コンテンツの基となる録画用動画データを生成する。
【００７４】
録画用動画データの生成に際しても、ホスト側制御部１１は、ホスト側記憶部１３に記憶されたレイアウトテーブルを参照する。図１０（ｃ）の例では、選択された歌唱動画コンテンツが４つであることから、図３（ａ）に示すようにレイアウトＤに決定され、図７（ｄ）のレイアウトＤによる録画用動画データが生成される。
【００７５】
この場合も、選択された順序に従って各映像の表示位置が定められる。具体的には、選択された４つの歌唱動画コンテンツのうち、１番目に選択された歌唱動画コンテンツの映像を歌唱映像Ａの位置に、２番目に選択された歌唱動画コンテンツの映像を歌唱映像Ｂの位置に、３番目に選択された歌唱動画コンテンツの映像を歌唱映像Ｃの位置に、４番目に選択された歌唱動画コンテンツの映像を歌唱映像Ｄの位置に、それぞれ配置して合成する。なお、画面中央に位置する最大面積の表示領域は、その利用者の歌唱映像（キャプチャー映像）の表示用に確保される。また、先の処理で選択された複数の歌唱音声データを合成し、新たな歌唱音声データを生成する。そして、合成後の歌唱映像データと歌唱音声データを録画用動画データ（録画用映像データ，録画用音声データ）とする。
【００７６】
生成された録画用動画データは、ホスト側記憶部１３の録画用動画データ記憶領域に記憶され、録画用の合成動画コンテンツとして登録される。その後、カラオケ店ＫＢに赴いた利用者は、リモコン装置２６を通じた操作により、自身のマイページから、お気に入り登録された録画用の合成動画コンテンツを呼び出す（Ｓ２１）。この呼び出し操作により、呼び出し指示を示す指示情報がホスト装置１に送信され（Ｓ２２）、ホスト装置１からカラオケ本体２１へ、録画用の合成動画コンテンツの基となる録画用動画データがダウンロードされる（Ｓ２３）。あわせて、当該合成動画コンテンツに対応するカラオケ楽曲の楽曲ＩＤが本体側制御部３１のメモリ３１ｂに記憶され、演奏処理の待ち行列で管理される。
【００７７】
当該カラオケ楽曲の順序がやってくると、カラオケ伴奏に同期して、録画用の合成動画コンテンツが再生される。すなわち、録画用映像データに基づく映像がモニタ２３で表示され、録画用音声データに基づく歌唱音声がスピーカ２２から放音される。その際、ビデオカメラ２５で撮影された歌唱者のキャプチャー映像が、モニタ２３における中央部の表示領域に他の映像よりも大きな面積で表示される。これにより、歌唱者は、気分よく歌唱することができる。
【００７８】
このとき、カラオケ装置２は、歌唱映像データ取得手段や歌唱音声データ取得手段としても機能する。すなわち、ビデオカメラ２５で撮影された歌唱映像が、歌唱映像データとして歌唱映像データ記憶領域に記憶され、マイク２４で集音された歌唱音声が、歌唱音声データとして歌唱音声データ記憶領域に記憶される（Ｓ２４）。
【００７９】
当該カラオケ楽曲の演奏が終了し、リモコン装置２６を通じてアップロードの指示が与えられると、カラオケ装置２は、アップロード手段として機能する。これにより、記憶された歌唱動画データ（歌唱映像データ，歌唱音声データ）が、ホスト装置１へアップロードされ（Ｓ２５）、ホスト側記憶部１３（歌唱映像データ記憶領域，歌唱音声データ記憶領域）に記憶される（Ｓ２６）。なお、カラオケ装置２は、アップロードされる歌唱動画データ（本実施形態では歌唱音声データのＭＰ３タグ）に、利用者ＩＤ、楽曲ＩＤ、動画ＩＤ、及び、選択数情報等の必要な情報を書き込んで送信する。
【００８０】
ホスト装置１は、アップロードされた歌唱動画データから閲覧用動画データを生成する（Ｓ２７）。本実施形態では、２種類の閲覧用動画データが作成される。一方は、他の歌唱動画データと合成された閲覧用動画データであり、他方は、今回アップロードされた歌唱動画データのみに基づく閲覧用動画データである。ここでも、ホスト側制御部１１は、ホスト側記憶部１３に記憶されたレイアウトテーブルを参照する。この例では、前者の閲覧用動画データを構成する歌唱動画コンテンツが５つであることから、図３（ｂ）に示すようにレイアウトＤが選択され、図７（ｄ）のレイアウトＤによる合成動画データが生成される。また、後者の閲覧用動画データを構成する歌唱動画コンテンツが１つであることから、図３（ｂ）に示すように全画面のレイアウトが選択され、合成動画データが生成される。
【００８１】
これらの閲覧用動画データに基づく歌唱動画コンテンツもまた、その利用者のマイページで閲覧可能な状態にされる。そして、利用者がマイページにアクセスし、その歌唱動画コンテンツの公開を指示すると、この歌唱動画コンテンツは他の利用者からも閲覧可能な状態になる。
【００８２】
以上の説明から明らかなように、本実施形態のカラオケシステムによれば、選択数情報に基づいて合成動画コンテンツの表示レイアウトが決定されるので、選択された歌唱動画コンテンツの数に適した表示レイアウトの合成動画コンテンツを生成することができる。これより、表示レイアウトの自由度を高めることができ、ひいては合成動画コンテンツに対する興趣を高めることができる。
【００８３】
また、本実施形態のカラオケシステムでは、図７のレイアウトＢ〜Ｆに示すように、最後に選択された歌唱動画コンテンツの表示面積が、他の歌唱動画コンテンツの表示面積の表示面積よりも大きくなるように、合成動画コンテンツの表示レイアウトが決定されているので、合成動画コンテンツに対する興趣をより高めることができる。
【００８４】
また、本実施形態のカラオケシステムでは、ホスト装置１（サーバー）は、選択された歌唱動画コンテンツの数と表示レイアウトとの関係を規定するレイアウトテーブルを有しており、このレイアウトテーブルの内容を参照して表示レイアウトを決定しているので、表示レイアウトを容易に決定することができる。
【００８５】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００８６】
利用者ＩＤ、楽曲ＩＤ、動画ＩＤ、選択数情報といった各種情報に関し、前述の実施形態では、ＭＰ３タグを利用して情報の送受信を行っていたが、この方法に限定されるものではない。例えば、これらの各種情報を別のファイルで送信してもよい。
【００８７】
また、前述の実施形態では、歌唱動画コンテンツを扱っていたが、音声のみからなる歌唱音声コンテンツを合成の対象にしてもよい。この場合、ホスト側記憶部１３（コンテンツ記憶手段）は、歌唱音声コンテンツの基となる歌唱音声データをも、楽曲ＩＤに関連付けた状態で記憶する。そして、ホスト装置１（コンテンツ選択手段）は、ユーザー端末３からの指示に応じて、ホスト側記憶部１３に記憶された或る楽曲の歌唱音声データ（歌唱音声コンテンツ）を選択する。また、ホスト装置１（コンテンツ生成手段）は、歌唱音声データを選択した場合、他に選択された歌唱動画データ（歌唱動画コンテンツ）とともに、歌唱音声データを合成の対象とする。このように構成することで、映像を含まない歌唱音声コンテンツも合成することができ、表示対象となる映像の数を増やさなくても、多数の歌唱音声が合成された合成動画コンテンツを生成できる。
【００８８】
また、前述の実施形態では、歌唱動画コンテンツの選択順に合成動画コンテンツのレイアウトを定めるようにしたが、この方法に限定されるものではない。例えば、図１０（ｃ）の一覧画面にレイアウトテーブルも表示させ、歌唱動画コンテンツの説明画像４４ａをレイアウトテーブルの各表示領域にドラッグ及びドロップさせるようにしてもよい。その際、ドロップされた歌唱動画コンテンツのサムネイル画像を各表示領域で表示させると、各歌唱動画コンテンツの配置を視覚で判断できるので好ましい。
【００８９】
また、合成動画コンテンツの表示レイアウトに関し、図７に示した例以外の表示レイアウトを採用してもよい。例えば、図１１に示すレイアウトＤ´のように、各映像の表示面積を段階的に小さくするようにしてもよい。
【符号の説明】
【００９０】
１…ホスト装置（サーバー），２…カラオケ装置，３…ユーザー端末，３Ａ…パーソナルコンピュータ，３Ｂ…タブレットコンピュータ，３Ｃ…携帯電話機，４…通信回線，１１…ホスト側制御部，１１ａ…ＣＰＵ，１１ｂ…メモリ，１２…ホスト側通信部，１３…ホスト側記憶部，２１…カラオケ本体，２２…スピーカ，２３…モニタ，２４…マイク，２５…ビデオカメラ，２６…リモコン装置，３１…本体側制御部，３１ａ…ＣＰＵ，３１ｂ…メモリ，３２…本体側通信部，３３…本体側記憶部，３４…音響処理部，３５…表示処理部，３６…映像入力部，３７…操作部，４１…端末側制御部，４１ａ…ＣＰＵ，４１ｂ…メモリ，４２…端末側通信部，４３…端末側記憶部，４４…表示部，４４ａ…歌唱動画コンテンツの説明画像，４４ｂ…選択された歌唱動画コンテンツ，４４ｃ…「お気に入り登録」のラジオボタン，４４ｄ…チェックボックス，４４ｅ…「コラボ視聴」のラジオボタン，４４ｆ…「コラボ録画」のラジオボタン，４５…入力部，ＫＢ…カラオケ店，ＲＭ…カラオケルーム
【図１】
2014109657.tif 000003
【図２】
2014109657.tif 000004
【図３】
2014109657.tif 000005
【図４】
2014109657.tif 000006
【図５】
2014109657.tif 000007
【図６】
2014109657.tif 000008
【図７】
2014109657.tif 000009
【図８】
2014109657.tif 000010
【図９】
2014109657.tif 000011
【図１０】
2014109657.tif 000012
【図１１】
2014109657.tif 000013